(57)【要約】【課題】  本発明は手動による鋏形切裂工具によってケーブル線とその支持線との接続部（首部）をガイドローラで簡便確実に挟持し、切裂刃を上記首部にそって摺動方向に安全確実に切裂く作業を高所において迅速に行うことを目的とする。【解決手段】  開閉把持腕１，１の先端部を枢支１’し、一方の把持腕１の先端延長部２に沿って２個のガイドローラ３，３を有する支持片４を遊支し、他方の把持腕１の先端延長部２’を鉤型に形成し、その先端に上記ガイドローラ３，３の中間に向う切裂刃５を設け、上記両先端延長部２，２’間に上記一方の先端延長部２と対向する短杆６を上記枢支部１’に枢支し、該短杆６に沿って上記ガイドローラ３，３に対応する２個のガイドローラ３’，３’を設け、上記短杆６と上記鉤型先端延長部２’とを発条７で開き勝手に支持してなるケーブル切裂工具。【選択図】  図１
2006197746.tif 000002
【特許請求の範囲】
【請求項１】
開閉把持腕の先端部を枢支し、一方の把持腕の先端延長部に沿って２個のガイドローラを有する支持片を遊支し、
他方の把持腕の先端延長部を鉤型に形成し、その先端に上記ガイドローラの中間に向う切裂刃を設け、
上記両先端延長部間に上記一方の先端延長部と対向する短杆を上記枢支部に枢支し、
該短杆に沿って上記ガイドローラに対応する２個のガイドローラを設け、
上記短杆と上記鉤型先端延長部とを発条で開き勝手に支持してなるケーブル切裂工具。
【請求項２】
互に対応する上記ガイドローラが近接した状態を保持するストッパを上記一方の先端延長部と上記短杆との間に設けた請求項１記載のケーブル切裂工具。
【請求項３】
上記短杆に設けた２個のガイドローラを接続する連杆を設け、該連杆と上記短杆との間に上記切裂刃を挿入する請求項１又は２記載のケーブル切裂工具。
【発明の詳細な説明】
【技術分野】
【０００１】
本発明は光ケーブル線とその支持線とが一体となった自己支持形ケーブルのケーブル線とその支持線とを切裂くための工具に関するものである。
【背景技術】
【０００２】
従来、上記自己支持形ケーブルのケーブル線とその支持線とを引止め部において切裂いて分離する鋏形工具が開発された（例えば引用文献２）。
【０００３】
上記鋏形工具は作業者が把持してガイドローラをケーブル線とその支持線との間の切裂部（首部）に位置決めすると同時に切裂刃が切裂部に突き刺さるため、ガイドローラによる位置決め作業を高所において一発勝負で正確に行う必要があった。
【０００４】
即ち対向するガイドローラの摺動方向を上記切裂部の方向と正確に一致させ難く、そのため切裂刃を切裂部（首部）の方向に一致させることは困難であって、ケーブル線又はその支持線を切裂刃で損傷させ易く、高所作業において熟練を要した。
【０００５】
そこで板状の基台に設けた第１ガイドローラと基台に支持される摺動台に発条を介して設けた第２ガイドローラとによって切裂部（首部）を発条に抗して挟持し、摺動方向を確定する第１工程、
その状態においてエアシリンダで摺動台をさらに摺動させて切裂刃を首部に貫通し、基台を摺動方向に摺動させる第２工程とを要し、かつ高所において手動で簡便に行うことは困難であった。
【０００６】
【特許文献１】特公平６−６９２５０号公報
【特許文献２】特許第２７８１６４４号公報（図１〜６）
【発明の開示】
【発明が解決しようとする課題】
【０００７】
本発明は手動による鋏形切裂工具によってケーブル線とその支持線との接続部（首部）をガイドローラで簡便確実に挟持し、切裂刃を上記首部にそって摺動方向に安全確実に切裂く作業を高所において迅速に行うことを目的とする。
【課題を解決するための手段】
【０００８】
上記の目的を達成するため本発明は
第１に開閉把持腕の先端部を枢支し、一方の把持腕の先端延長部に沿って２個のガイドローラを有する支持片を遊支し、他方の把持腕の先端延長部を鉤型に形成し、その先端に上記ガイドローラの中間に向う切裂刃を設け、上記両先端延長部間に上記一方の先端延長部と対向する短杆を上記枢支部に枢支し、該短杆に沿って上記ガイドローラに対応する２個のガイドローラを設け、上記短杆と上記鉤型先端延長部とを発条で開き勝手に支持してなるケーブル切裂工具、
第２に互に対応する上記ガイドローラが近接した状態を保持するストッパを上記一方の先端延長部と上記短杆との間に設けた上記第１発明記載のケーブル切裂工具、
第３に上記短杆に設けた２個のガイドローラを接続する連杆を設け、該連杆と上記短杆との間に上記切裂刃を挿入する上記第１又は第２発明記載のケーブル切裂工具、
によって構成される。
【０００９】
従って開閉把持腕を把持し、互に対応する２組のガイドローラを開いてケーブル線とその支持線との間の首部を該首部に倣って挟持し、その状態で上記ガイドローラをケーブル線及びその支持線の方向に摺動自在に位置決めし、
さらに上記把持腕を閉じることによって切裂刃を首部に貫通させ、該把持腕を手前に首部に沿って牽引することによって首部を切裂くことができる。
【発明の効果】
【００１０】
本発明は上述のように構成したので構造簡単軽量な鋏形工具によって上記首部に沿って手動で首部を切裂きかつ摺動させ得て高所作業においてケーブル線及びその支持線を傷付けるおそれがなく安全容易に首部を切裂くことができる。
【発明を実施するための最良の形態】
【００１１】
開閉把持腕１，１の中程外側に指掛突起１”，１”を設け、
両把持腕１，１の先端部を軸１ａによって枢支し、該枢支部１’から両把持腕１，１の先端延長部２，２’を設けて鋏形に形成する。
【００１２】
上記一方の先端延長部２には該延長部２に沿って支持片４の中央部をピン４’によって遊支し、
該支持片４の両端部に２個の第１ガイドローラ３，３を小ピン３”，３”で遊支する。
【００１３】
上記一方の延長部２にザグリ穴１０を凹設し、上記支持片４に設けた小突起１０’をザグリ穴１０に挿入し（図１、図３〜図５、図９（ロ）図）、支持片４を中央のピン４’を中心にザグリ穴１０内の上記小突起１０’の動作範囲内において遊動させることができる。
【００１４】
即ち上記支持片４を図３に示す上記延長部２との交差状態から図４に示す上記延長部２との平行状態に遊動させることができる。
【００１５】
他方の把持腕１の先端延長部２’は図１１に示すようにコ字形鉤型に外側から屈曲し、その先端に座金２”を介して切裂刃５を設け、該切裂刃５を２個の第１ガイドローラ３，３の間に向わせる（図６（イ）（ロ）図）。
【００１６】
上記切裂刃５は先端側に尖って後向に傾斜する。
【００１７】
上記両先端延長部２，２’間には上記一方の先端延長部２と対向し、該延長部２と同長の短杆６を上記枢支部１’の軸１ａによって枢支し、他方の鉤形先端延長部２の基部に穿設した円弧形長孔１１に上記短杆６に突設したピン１１’を摺動自在に嵌合し、コイル発条７によって上記短杆６と上記鉤形先端延長部２とを開き勝手に支持する。
【００１８】
上記短杆６には上記第１ガイドローラ３，３に対応する位置に２個の第２ガイドローラ３’，３’を小ピン３ａ，３ａによって遊支する。
【００１９】
上記発条７は後部小ピン３ａに巻回されたコイル発条であってその一端を鉤形先端延長部２’の先端部に係止し、他端を上記短杆６の先端部に係止して短杆６が鉤形先端延長部２’から開かれるように保持する。
【００２０】
互に対応する位置にある第１ガイドローラ３，３と第２ガイドローラ３’，３’とが、接し、又は近接した状態を保持するストッパ８，８’を一方の先端延長部２と上記短杆６との基部に設ける。
【００２１】
上記第２ガイドローラ３’，３’の小ピン３ａ，３ａの外端を接続する連杆９が設けられ、該連杆９の内側に上記切裂刃５を挿入する。
【００２２】
上記第１及び第２ガイドローラ３，３及び３’，３’は、それぞれ内側に径の小さい皿形に形成される。
【００２３】
上記開閉把持腕１，１を図３に示すように充分開いた状態に把持し、上記第１及び第２ガイドローラ３，３’間にワイヤロープ支持線１２を挿入し、第１及び第２ガイドローラ３，３及び３’，３’の外側に光ケーブル線１３を配置し、首部１４に沿って第１及び第２ガイドローラ３，３及び３’，３’を配置する。
【００２４】
その後図４に示すように上記把持腕１，１をさらに閉じることによって第１及び第２ガイドローラ３，３及び３’，３’によって首部１４を挟持すると、支持片４が中央のピン４’を中心に遊動して第１ガイドローラ３，３を第２ガイドローラ３’，３’に倣って対称位置に近接し、摺動方向にこれらのガイドローラ３，３及び３’，３’を自動的に調整することができる。その後さらに上記把持腕１，１を図５に示す位置に閉じることによって鉤形延長部２’を発条７に抗して軸１ａを中心として回動させる。
【００２５】
上記回動によって切裂刃５が首部１４を貫通し、その状態において両把持腕１，１を図５矢印ａ方向（後向）に手動で牽引することにより、首部１４は切裂刃５によって切裂かれて光ケーブル線１３とワイヤロープ支持線１２とを分離することができる。
【００２６】
尚図中１５で示すものは小ピン３”，３ａの靭管であって上記ガイドローラ３，３’と上記延長部２及び短杆６との間にワイヤロープ支持線１２及び首部１４の挿通空間Ｓを形成する。
【産業上の利用可能性】
【００２７】
本発明は自己支持形架空光ケーブルにおける光ケーブル線１３と支持線１２との首部１４を電柱引止め部において人手によって第１及び第２ガイドローラ３，３及び３’，３’で確実に挟持し、ケーブル線１３及び支持線１２を切裂刃５によって損傷するおそれがなく首部１４の方向に切裂刃５を摺動させ得て首部１４を高所において安全迅速に分離させることが可能である。
【図面の簡単な説明】
【００２８】
【図１】本発明のケーブル切裂工具を示す正面図である。
【図２】図１の背面図である。
【図３】把持腕を開いた状態の正面図である。
【図４】ガイドローラを閉じた状態の正面図である。
【図５】切裂状態の正面図である。
【図６】（イ）図は図５の平面図、（ロ）図は（イ）図を左方から見た側面図である。
【図７】一方の先端延長部の分解斜視図である。
【図８】（イ）（ロ）（ハ）図は支持片の遊動状態の正面図である。
【図９】（イ）図は図７に示す部品を組立てた状態の側面図、（ロ）図はザグリ穴と挿入ピンとの縦断面図である。
【図１０】（イ）図は一方の延長部と短杆との分解斜視図、（ロ）図は支持片と短杆とを開いた状態の正面図、（ハ）図は（ロ）図のガイドローラ近接状態の正面図、（ニ）図は（ハ）図の背面図である。
【図１１】全体の分解斜視図である。
【符号の説明】
【００２９】
１        開閉把持腕
１’      枢支部
２，２’  先端延長部
３，３’  ガイドローラ
４        支持片
５        切裂刃
６        短杆
７        発条
８，８’  ストッパ
９        連杆
【図１】
2006197746.tif 000003
【図２】
2006197746.tif 000004
【図３】
2006197746.tif 000005
【図４】
2006197746.tif 000006
【図５】
2006197746.tif 000007
【図６】
2006197746.tif 000008
【図７】
2006197746.tif 000009
【図８】
2006197746.tif 000010
【図９】
2006197746.tif 000011
【図１０】
2006197746.tif 000012
【図１１】
2006197746.tif 000013